(57)【要約】  【課題】大当り遊技の終了後に時短状態となる弾球遊技機において、遊技者に出玉感を与えながらも、射幸性が高まりすぎることを防止する。  【解決手段】残時短回数を累積加算し（Ｓ７５５）、この値が上限値を超えると（Ｓ７６５：ｙｅｓ）、変動テーブルフラグが３となり（Ｓ７７０）、時短中、外れとなる変動パターンの決定に用いる変動パターン選択テーブルとして平均変動時間が長いものが選ばれる。この結果、時短中の単位時間当りの当り発生回数が低下することが期待でき、射幸性が過度に高まるのを抑えることができる。また、これにより大当り遊技による出玉や大当り遊技の回数が減少するわけではないので、出玉感を損なうことが無い。【選択図】    図１６
2014111013.tif 000002
【特許請求の範囲】
【請求項１】
遊技域に設けられた始動口と、
前記遊技域に設けられ、開放されることにより入球可能となり、該入球に伴って遊技者に価値担体が付与される大入賞口と、
特別図柄を表示するための特別図柄表示装置と、
前記始動口への入球に起因して前記特別図柄表示装置において前記特別図柄を所定時間、変動表示させた後に確定表示させる図柄制御手段と、
前記始動口への入球に起因して発生された乱数に基づいて当否判定を行なう当否判定手段と、
該当否判定手段により当りと判定されると、前記大入賞口の開閉動作を複数回行なう大当り遊技を実行する特別遊技実行手段と、
前記大当り遊技の終了後に、前記当否判定手段により再び当りと判定されるか又は所定回数、前記特別図柄が前記変動表示されるまで、前記特別図柄の前記変動表示の平均時間を通常よりも短縮させた状態である時短状態を発生させる特典付与手段と、
を備えた弾球遊技機において、
前記変動表示の時間を決定するための乱数を発生させる変動パターン決定用乱数発生手段と、
前記時短状態において、前記変動パターン決定用乱数発生手段により発生された乱数に基づいて、前記変動表示の時間を決定するための第１時短用変動パターン選択テーブルと、
前記時短状態において、前記変動パターン決定用乱数発生手段により発生された乱数に基づいて、前記変動表示の時間を決定するためのテーブルであって、前記第１時短用変動パターン選択テーブルにより決定される変動時間よりも平均変動時間が長い第２時短用変動パターン選択テーブルと、
前記時短状態ではない状態において前記当否判定手段により当りと判定されたことを起点とする所定期間において発生する前記大当り遊技により、遊技者に付与される前記価値担体の数である価値担体数を、前記所定期間において前記大当り遊技が発生する都度、推定する価値担体数推定手段と、
該価値担体数推定手段により、前記価値担体数が予め定められた許容値を超えると推定されるまでは、前記第１時短用変動パターン選択テーブルを用いて前記変動表示の時間を決定し、前記価値担体数が前記許容値を超えると推定されると、前記第２時短用変動パターン選択テーブルを用いて前記変動表示の時間を決定する変動パターン決定手段と、
を備え、前記価値担体数推定手段は、前記時短状態ではない状態において前記当否判定手段により当りと判定されると、該判定以降、前記当否判定手段により当りと判定される都度、該判定に要した前記特別図柄の変動回数を前記所定回数から差し引いた値を累積加算し、該累積加算された値が、予め定められた上限値を超えると、「前記価値担体数が前記許容値を超える」と推定するものであることを特徴とする弾球遊技機。
【請求項２】
前記所定期間の終点は、前記起点の後、初めて、前記特別図柄が前記所定回数、前記変動表示されることにより前記時短状態が終了したことであることを特徴とする請求項１に記載の弾球遊技機。
【請求項３】
前記所定期間の終点は、前記起点の後、予め定められた時間が経過した時点であることを特徴とする請求項１に記載の弾球遊技機。
【発明の詳細な説明】
【技術分野】
【０００１】
本発明は、始動口への入球を契機として図柄を所定時間変動させた後、確定表示された図柄に基づき、遊技者に特典を付与する弾球遊技機に関するものである。
【背景技術】
【０００２】
従来、弾球遊技機（単に遊技機ともいう）では、始動口への入球に起因して抽出された乱数に基づいて当否判定を実行し、大当りを生起する場合には大当り図柄を、大当りを生起しない場合には外れ図柄を、それぞれ確定表示する特別図柄（特図ともいう）を決定している。大当り図柄が確定表示される場合には、該図柄に基づいて、大当り遊技におけるラウンド数、大当り遊技後の特典遊技の実行の有無、実行される特典の期間（変動回数）を決定している（特許文献１）。
【０００３】
特典としては、前記大当り図柄が確定表示される確率が高い状態（高確率状態、確率変動状態、確変などという）、時短状態（特図の変動時間の平均値が短縮された状態。単に時短ともいう）、開放延長状態（普通電動役物の開放期間が通常よりも長い状態。単に開放延長ともいう）などを挙げることができる。
特典として時短および開放延長が付与されて始動口への入球が容易とされ、且つ、確変が付与されて始動口への入球によって大当りが生起しやすい状況もあり、大当り遊技間の時間（今回の大当り遊技の終了から次回の大当り遊技の開始までに要する時間）が短くなっている。
【０００４】
そして近年、右発射時（所謂、右打ち）に入賞可能な位置（右流下経路）に、普電役物（始動口または別の始動口）及び普通図柄作動口を配置すると共に大入賞口も配置し、特典遊技時に右発射することで、遊技球の流下経路を狭めて効率よく大入賞口や普電役物に入賞するように構成した遊技機も開発されている（特許文献２）
【先行技術文献】
【特許文献】
【０００５】
【特許文献１】特開平９−２０６４３８号公報
【特許文献２】特開２０１２−２４４７１号公報
【発明の概要】
【発明が解決しようとする課題】
【０００６】
しかしながら、特許文献２に開示された遊技機によれば、効率よく大入賞口へ入賞するため、大当り遊技に要する時間（大当り遊技の開始から大当り遊技の終了までに要する時間）も短くなっている。
上記したように、大当り遊技の時間や大当り遊技に要する時間が短くなることで、スピーディーな遊技が可能となり、単位時間当りの獲得球数が増え、遊技者に連荘による出玉感を与えることができるが、その反面、出玉感を与えることによって、射幸性が高まりすぎて娯楽の域を逸脱してしまうことが危惧される。
賞球を払い出すことなく、賞球に相当する数値データを遊技者に付与する遊技機においても同様の問題、すなわち前記数値データが急速に増大することによる高揚感などにより射幸性が高まり過ぎるという問題が発生する可能性がある。
本発明は上記問題を鑑みてなされたものであり、遊技者に出玉感を与えながらも、射幸性が高まりすぎることを防止することを目的とする。
【課題を解決するための手段】
【０００７】
上記課題を解決するためになされた本発明の請求項１記載の弾球遊技機は、遊技域に設けられた始動口と、前記遊技域に設けられ、開放されることにより入球可能となり、該入球に伴って遊技者に価値担体が付与される大入賞口と、特別図柄を表示するための特別図柄表示装置と、前記始動口への入球に起因して前記特別図柄表示装置において前記特別図柄を所定時間、変動表示させた後に確定表示させる図柄制御手段と、前記始動口への入球に起因して発生された乱数に基づいて当否判定を行なう当否判定手段と、該当否判定手段により当りと判定されると、前記大入賞口の開閉動作を複数回行なう大当り遊技を実行する特別遊技実行手段と、前記大当り遊技の終了後に、前記当否判定手段により再び当りと判定されるか又は所定回数、前記特別図柄が前記変動表示されるまで、前記特別図柄の前記変動表示の平均時間を通常よりも短縮させた状態である時短状態を発生させる特典付与手段と、を備えた弾球遊技機において、前記変動表示の時間を決定するための乱数を発生させる変動パターン決定用乱数発生手段と、前記時短状態において、前記変動パターン決定用乱数発生手段により発生された乱数に基づいて、前記変動表示の時間を決定するための第１時短用変動パターン選択テーブルと、前記時短状態において、前記変動パターン決定用乱数発生手段により発生された乱数に基づいて、前記変動表示の時間を決定するためのテーブルであって、前記第１時短用変動パターン選択テーブルにより決定される変動時間よりも平均変動時間が長い第２時短用変動パターン選択テーブルと、前記時短状態ではない状態において前記当否判定手段により当りと判定されたことを起点とする所定期間において発生する前記大当り遊技により、遊技者に付与される前記価値担体の数である価値担体数を、前記所定期間において前記大当り遊技が発生する都度、推定する価値担体数推定手段と、該価値担体数推定手段により、前記価値担体数が予め定められた許容値を超えると推定されるまでは、前記第１時短用変動パターン選択テーブルを用いて前記変動表示の時間を決定し、前記価値担体数が前記許容値を超えると推定されると、前記第２時短用変動パターン選択テーブルを用いて前記変動表示の時間を決定する変動パターン決定手段とを備え、前記価値担体数推定手段は、前記時短状態ではない状態において前記当否判定手段により当りと判定されると、該判定以降、前記当否判定手段により当りと判定される都度、該判定に要した前記特別図柄の変動回数を前記所定回数から差し引いた値を累積加算し、該累積加算された値が、予め定められた上限値を超えると、「前記価値担体数が前記許容値を超える」と推定するものであることを特徴とする。
【０００８】
請求項２に記載の本発明は、請求項１に記載の弾球遊技機において、前記所定期間の終点は、前記起点の後、初めて、前記特別図柄が前記所定回数、前記変動表示されることにより前記時短状態が終了したことであることを特徴とする。
【０００９】
請求項３に記載の本発明は、請求項１に記載の弾球遊技機において、前記所定期間の終点は、前記起点の後、予め定められた時間が経過した時点であることを特徴とする。
【００１０】
本発明の第１参考例は、請求項１から3の何れか1項に記載の弾球遊技機において、前記特別遊技実行手段は、前記大入賞口の開閉動作の回数が異なる複数種類の大当り遊技の中から選択して大当り遊技を実行するものであり、前記価値担体数推定手段は、前記所定期間中に発生した大当り遊技において行なわれる前記大入賞口の開閉動作の回数を累積加算し、該累積加算された値が、予め定められたしきい値を超えると、「前記価値担体数が前記許容値を超える」と推定するものであることを特徴とする。
【００１１】
本発明の第２参考例は、第１参考例の弾球遊技機において、前記特別遊技実行手段が実行する大当り遊技の中には、前記大入賞口が開放するにも拘らず前記価値担体の付与を期待できない開閉動作である価値担体なし開閉動作を含む大当り遊技が存在し、前記価値担体数推定手段は、前記価値担体なし開閉動作に関しては、前記大入賞口の開閉動作の回数として累積加算しないものであることを特徴とする。
【００１２】
本発明の第３参考例は、第１参考例または第２参考例の弾球遊技機において、前記価値担体数推定手段は、前記所定期間において前記当否判定手段により当りと判定される都度、該判定に要した前記特別図柄の変動回数を前記所定回数から差し引いた値を累積加算した値である残時短総数も加味して、前記推定を行なうものであって、前記大入賞口の開閉動作の回数を累積加算された値が前記しきい値を超えていなくても、前記残時短総数が、予め定められた上限値を超えると、「前記価値担体数が前記許容値を超える」と推定するものであることを特徴とする。
【発明の効果】
【００１３】
請求項１に記載の遊技機においては、大当り遊技の終了後に時短状態が所定回数、特別図柄が変動されるまで付与される。ただし時短状態において当りと判定された場合は時短状態を終了し、改めて該判定を起因として生起した大当り遊技後に時短状態が所定回数、特別図柄が変動されるまで付与される。なお、「所定回数」は一定値である必要はなく、大当り遊技の内容などに応じて変化しても構わない。時短状態では特別図柄の変動時間の平均値が、時短状態ではない状態（非時短状態と呼ぶ）における特別図柄の変動時間の平均値よりも短くなる。
【００１４】
従って時短状態において前記所定回数以内の変動で当りと判定されるという事態が連続すると、単位時間内で何度も大当りが発生して、射幸性が高くなる虞がある。そこで、時短状態において特別図柄の変動表示の時間を決定するための変動パターン選択テーブルが、第１時短用変動パターン選択テーブルと、第２時短用変動パターン選択テーブルの２種類有り、後者により選択される変動時間の平均値は、前者により選択される変動時間の平均値よりも長くされている。
【００１５】
そして価値担体数推定手段が、所定期間内に大当り遊技を通じて遊技者に付与される価値担体数を推定する。該所定期間の起点は、非時短状態において当否判定手段により当りと判定されたこととする。該判定により大当り遊技が発生し、該大当り遊技の終了後には時短状態が発生するので、所定期間内の大当り遊技とはいわゆる連荘中の大当り遊技を含むことになる。但し、通常、連荘といえば前記開放延長状態が時短状態と共に発生し、時短中に特別図柄の変動が間断なく発生することに寄与するが、ここでは開放延長状態の発生・非発生は問わないものとする。また、本発明の目的は、出玉感を与えることによって、射幸性が高まり過ぎるのを防止することであるから、例えば、時短状態が終了して間もなく再び当って、連荘することにより過剰な出玉感を遊技者に与えることの防止も想定している（詳しくは後述）。なお、所定期間の起点は厳密に「当否判定手段により当りと判定された時点」である必要は無い。非時短状態において発生した始動入賞（これを契機として当りの当否判定用乱数を引いたとする）から大入賞口の開始までの間を「所定期間の起点」として設定すれば良い。価値担体としては前記賞球や前記数値データを例示できる。そして「付与」には、遊技者に価値担体を譲渡することだけでなく、価値担体を一時的に貸与することや、遊技者に価値担体を見せるだけ（特に価値担体が数値データの場合）も含む。
【００１６】
なお、価値担体数推定手段によって推定される価値担体数は、実際に発生した所定期間中における価値担体の数であって、遊技機の仕様から決まる、平均連荘数から算出される価値担体数とは異なる。例えば、請求項４に係る説明で後述するように、ラウンド数の多い大当りが連続で発生したから当該所定期間における価値担体数は比較的多いとか、これとは逆にラウンド数の少ない大当りが多数発生したから当該所定期間における価値担体数は比較的少ない等と推定する。従って、当りが発生する都度、価値担体数推定手段によって推定される価値担体数は変化し得る。
【００１７】
そして、価値担体数推定手段により価値担体数が予め定められた許容値を超えると推定されるまでは、変動パターン決定手段用乱数発生手段が発生した乱数と、第１時短用変動パターン選択テーブルとを用いて変動表示の時間を、変動パターン決定手段が決定する。一方、価値担体数が前記許容値を超えると推定されると、変動パターン決定手段用乱数発生手段が発生した乱数と、第２時短用変動パターン選択テーブルを用いて変動表示の時間を、変動パターン決定手段が決定する。ここで変動パターン決定手段用乱数発生手段が乱数を発生するタイミングとしては、変動パターンを決定することとなる特別図柄の変動に対応した始動入賞の発生時でも良いし、該特別図柄の変動の直前でもよい。
【００１８】
つまり、所定期間中の価値担体数が許容値を超えないと推定される場合には、時短中の特別図柄の平均変動時間が短くなり、所定期間中の価値担体数が許容値を超えると推定される場合には、時短中の特別図柄の平均変動時間が長くなる。該平均変動時間が長くなると、単位時間当りの当り発生回数が低下することが期待でき、射幸性が過度に高まるのを抑えることができる。また、これにより大当り遊技による価値担体の出具合（価値担体が遊技球の場合は出玉）や大当り遊技の回数が減少するわけではないので、出玉感（価値担体が遊技球の場合。価値担体が前記数値データの場合は、数値データが増えていく感じ）を損なうことが無い。
【００１９】
なお、価値担体数推定手段は、所定期間において大当り遊技が発生する都度、価値担体数を推定するものであるが、所定期間中の価値担体数が許容値を超えると推定され、第２時短用変動パターン選択テーブルを用いて変動パターンを決定することが確定した以降は、価値担体数を推定する意味は殆どなくなる。このような場合は、再び前記所定期間が始まるまで、価値担体数の推定を取りやめても良い。
【００２０】
請求項２に記載の遊技機においては、所定期間の終点を、所定期間の起点以降、初めて、特別図柄が前記所定回数、変動表示されることにより時短状態が終了したこととしている。つまり、所定期間は、いわゆる初あたりから連荘（但し開放延長状態の発生・非発生は問わない）が終了するまでとなっている。このように構成された遊技機によれば、価値担体数推定手段は、連荘中の大当り遊技により遊技者に付与される価値担体数を推定するので、単位時間当りの当り発生回数が過剰になるのを抑えることができる。なお、所定期間の終点は、厳密に「時短状態が終了した時点」でなくともよく、特別図柄が所定回数変動することにより時短状態が終わってから、次回の大当り遊技（この大当り遊技は連荘が終わってから発生したものであるから、該大当り遊技により遊技者に付与される価値担体は、価値担体数に無関係)が開始されるまでの間で構わない。
【００２１】
請求項３に記載の遊技機においては、所定期間の終点を、所定期間の起点以降、予め定められた時間が経過した時点としている。このように構成された遊技機によれば、価値担体数推定手段は、初当り後、予め定められた時間内の大当り遊技により遊技者に付与される価値担体数を推定するので、単位時間当りの当り発生回数が過剰になるのを防止することができる。また、請求項2とは異なり、時間で所定期間を規定しているので、前記予め定められた時間内であれば、時短終了後に発生した大当り遊技により遊技者に付与される価値担体の数をも加味して価値担体数を推定することができる。例えば、請求項２によれば、連荘が終わったものの、時短状態の終了後、間もなく再び当たって連荘が始まったがために、予め定められた時間内に付与された価値担体の数か許容値を超えてしまうことがありえるが、請求項３に記載の遊技機によれば、所定期間が、初当りから「予め定められた時間内」に発生した大当り遊技であれば、それが連荘中の大当り遊技か、初当りかを問わずにそれらによる価値担体数を推定するので、単位時間当りの当り発生回数が過剰になるのを防止することができる。
【００２２】
第１参考例の遊技機においては、大当り遊技が複数種類あり、それらは大入賞口の開閉動作の回数（いわゆるラウンド数）が異なっている。開放した大入賞口に入球することにより、価値担体が付与されるので、付与される価値担体数の異なる大当り遊技が複数存在すると換言できる。そして価値担体数推定手段は、初当り以降、発生した大当り遊技のラウンド数を累積加算していき、その値が予め定められたしきい値を超えると、価値担体数が許容値を超えると推定する。なお、累積加算値がしきい値を超えても、更に連荘が続く可能性があるので、しきい値から推定できる価値担体数は、前記許容値よりも小さな値とした方が良い。また、ラウンド数は、大入賞口の開閉動作が行なわれたのを検出してカウントしてもよいが、通常は、特別図柄によってラウンド数が決定されるので、確定表示される特別図柄に基づいて累積加算することもできる。なお、価値担体数推定手段は、所定期間中の大当り遊技による価値担体の数を推定するものであるから、所定期間が終了した場合は、累積加算も終了するものとする。もちろん、所定期間が終了するのを待たず、累積加算値が前記しきい値に到達したことを持って累積加算を終了しても良い。そして所定期間終了後に再び当りと判定された場合には、累積加算を０から開始するものとする。
このように構成された第１参考例の遊技機によれば、付与された価値担体数（正確には大入賞口の開放動作の回数）に基づいて推定するので、容易に所定期間中の価値担体数を推定することができる。
【００２３】
第２参考例の遊技機においては、大当り遊技の中に、大入賞口が開放するにも拘らず価値担体の付与を期待できないもの（価値担体なし開閉動作）を含むものがある。価値担体の付与を期待できない理由としては、大入賞口の開放時間が短い（例えば０．３秒程度）こと等を例示できる。そして、価値担体なし開閉動作が発生しても価値担体が殆ど付与されないので、価値担体なし開閉動作に関しては、価値担体数推定手段がそのラウンド数を加算しない。従って、大当り遊技が多数発生したことにより、大入賞口の開閉動作を累積加算した値が前記しきい値を超えたものの、それらの当りの多くが価値担体なし開閉動作を含む大当り遊技であったために、当該所定期間中の最終的な価値担体数は許容値を大きく下回った、という事態を防止することができる。
【００２４】
第３参考例に記載の遊技機においては、初当り以降、当りと判定される都度、該判定がなされるまでに特別図柄が変動された回数を、時短状態が終了する特別図柄の変動回数（つまり前記所定回数）から差し引いた値（残時短回数と呼ぶことにする）を累積加算していく。なお、「当りと判定される都度」とは、該判定がなされると直ちにという意味に限らない。例えば、該判定を起因として発生した大当り遊技が終わり、時短状態が開始されるまでに累積加算すれば良い。そして価値担体数推定手段は、該累積加算された値が予め定められた上限値を超えると、大入賞口の開閉動作の回数を累積加算してなる値が前記しきい値を超えていなくても、「価値担体数が前記許容値を超える」と推定する。
【００２５】
このように構成された第３参考例の遊技機によれば、仮に時短中のラウンド数の累積加算値が前記しきい値以下であっても、時短中の残時短回数の累積加算値が上限値を超えると、時短中の変動パターンの決定に用いる変動パターン選択テーブルとして平均変動時間が長い第２時短用変動パターン選択テーブルが選ばれる。この結果、たとえ発生した大当りが、ラウンド数の少ないものばかりであったとしても、それらが時短状態の初期に発生した場合（正確には、残時短回数を累積加算した値が上限値を超えた場合）は、単位時間当りの当り発生回数が過度に多くなることが予想されるので、これを抑えるべく、変動時間の平均値が長いものを選ぶことができる。
【００２６】
なお、請求項１に記載の遊技機においては、初当り以降、当りと判定される都度、残時短回数を累積加算していく。そして該累積加算された値が、予め定められた上限値を超えると、「価値担体数が前記許容値を超える」と推定する。つまり、第３参考例の遊技機から、ラウンド数を用いた価値担体数の推定を構成要件から外したものとなっている。このようにすると、特に、ラウンド数の異なる大当り遊技を複数備えた遊技機においては、発生した大当り遊技のラウンド数が価値担体数の推定に反映されない可能性があり(該反映が為される場合は、第１参考例の遊技機となる）、その場合には価値担体数の推定が不正確となる虞がある。しかし、時短状態の早い時点で当りと判定されると、平均変動時間が長い第２時短用変動パターン選択テーブルが選ばれるので、単位時間当りの当り発生回数が低下し、射幸性が過度に高まるのを抑える効果を期待できる。
【図面の簡単な説明】
【００２７】
【図１】本発明の参考例のパチンコ機の遊技盤１の正面図
【図２】第１実施例のパチンコ機の電気構成図
【図３】第１実施例のパチンコ機の主制御装置８０で実行されるメインルーチンのフローチャート
【図４】主制御装置８０が実行する始動入賞確認処理のフローチャート
【図５】主制御装置８０が実行する当否判定処理のフローチャート１
【図６】主制御装置８０が実行する当否判定処理のフローチャート２
【図７】主制御装置８０が実行する当否判定処理のフローチャート３
【図８】主制御装置８０が実行する当否判定処理のフローチャート４
【図９】主制御装置８０が実行する特別遊技処理のフローチャート１
【図１０】主制御装置８０が実行する特別遊技処理のフローチャート２
【図１１】主制御装置８０が実行する特別遊技処理のフローチャート３
【図１２】当否判定結果が当りの場合に主制御装置８０が実行する変動パターン決定処理のフローチャート
【図１３】当否判定結果が外れの場合に主制御装置８０が実行する変動パターン決定処理のフローチャート
【図１４】当り図柄と時短回数および確変回数の関係を示すテーブル
【図１５】（ａ）は変動パターン選択テーブル１の説明図、（ｂ）は変動パターン選択テーブル２の説明図、（ｃ）は変動パターン選択テーブル３の説明図
【図１６】当否判定結果が当りの場合に第１実施例の主制御装置８０が実行する変動パターン決定処理のフローチャート
【図１７】当否判定結果が当りの場合に第２実施例の主制御装置８０が実行する変動パターン決定処理のフローチャート
【発明を実施するための形態】
【００２８】
以下に本発明の好適な参考例について説明する。尚、本発明の実施の形態は下記の参考例や実施例に何ら限定されるものではなく、本発明の技術的範囲に属する種々の形態を採ることができ、各実施例や参考例に記載された内容を適宜組み合わせることが可能なことはいうまでもない。
【００２９】
図１は、本発明の参考例のパチンコ機の遊技盤１の正面図である。なお、このパチンコ機の全体的な構成は公知技術に従っているので図示及び説明は省略する。図１に示すように遊技盤１には、公知のガイドレール２ａ、２ｂによって囲まれた略円形の遊技領域３が設けられている。この遊技領域３には多数の遊技釘４が打ち付けられている。遊技領域３のほぼ中央部には、センターケース５が配されている。センターケース５は、公知のものと同様に、ワープ入口、ワープ通路、ステージ、演出図柄表示装置６（液晶表示装置であり擬似図柄を表示する。）の画面を臨ませる窓等を備えている。
【００３０】
センターケース５の下には、第１始動口１１が配置され、更にその下には、第２始動口１２が配置されている。第２始動口１２は開閉可能な翼片を供えた普通電動役物を備えており、この翼片が開放しないと遊技球は第２始動口１２に入球できない構成となっている。センターケース５の左方にはゲート１７が配置されており、ここを遊技球が通過すると普通図柄が変動し、普通図柄が当り図柄で停止すると翼片が開放される。遊技領域の右下部には、複数個のＬＥＤからなる普通図柄表示装置７と、普通図柄保留数表示装置８と、特別図柄保留数表示装置１８と、７セグメント表示装置からなる特別図柄表示装置９とが配置されている。
【００３１】
第２始動口１２の下方にはアタッカー式の大入賞口１４が配置されている。また、第１始動口１１の左方には、第１左入賞口３１、第２左入賞口３２、第３左入賞口３３及び第４左入賞口３４が設けられている。なお、この第１左入賞口３１、第２左入賞口３２、第３左入賞口３３、第４左入賞口３４が、常時、入球率が変化しない普通入賞口である。これら普通入賞口を総じて一般入賞口３１ともいう。
【００３２】
本参考例のパチンコ機の電気的構成は、図２のブロック図に示すとおり、主制御装置８０を中心にして構成されている。なお、このブロック図には、単に信号を中継するだけのためのいわゆる中継基板及び電源回路等は記載していない。また、詳細の図示は省略するが、主制御装置８０、払出制御装置８１、演出図柄制御装置８２、サブ統合制御装置８３のいずれもＣＰＵ、ＲＯＭ、ＲＡＭ、入力ポート、出力ポート等を備えているが、本参考例では発射制御装置８４にはＣＰＵ、ＲＯＭ、ＲＡＭは設けられていない。しかし、これに限るわけではなく、発射制御装置８４にＣＰＵ、ＲＯＭ、ＲＡＭ等を設けてもよい。
【００３３】
主制御装置８０には、第１始動口１１に入球した遊技球を検出する第１始動口スイッチ１１ａ、第２始動口１２に入球した遊技球を検出する第２始動口スイッチ１２ａ、普通図柄を作動させるゲート１７に進入した遊技球を検出する普通図柄作動スイッチ１７ａ、大入賞口１４に入球した遊技球を計数するための第１カウントスイッチ１４ａ、第１左入賞口３１、第２左入賞口３２、第３左入賞口３３、第４左入賞口３４に入球した遊技球を検出する入賞口スイッチ３１ａ等の検出信号が入力される。なお、入賞口スイッチ３１ａの符号は第１左入賞口３１に対応しているが、前記各一般入賞口、すなわち第１左入賞口３１、第２左入賞口３２、第３左入賞口３３、第４左入賞口３４に対してそれぞれ入賞口スイッチが設けられており、各一般入賞口に遊技球が入ったことを個別に検出可能に構成されている。
【００３４】
主制御装置８０は搭載しているプログラムに従って動作して、上述の検出信号などに基づいて遊技の進行に関わる各種のコマンドを生成して払出制御装置８１及びサブ統合制御装置８３に出力する。また主制御装置８０は、図柄表示装置中継端子板９０を介して接続されている特別図柄表示装置９及び普通図柄表示装置７の表示、特別図柄保留数表示装置１８、普通図柄保留数表示装置８の点灯を制御する。
【００３５】
更に、主制御装置８０は、大入賞口ソレノイド１４ｂを制御することで大入賞口１４の開閉を制御し、普通電動役物ソレノイド（図２では普電役物ソレノイドと表記。以下、普電といえば普通電動役物を指すものとする）１２ｂを制御することで第２始動口１２の開閉を制御する。主制御装置８０からの出力信号は試験信号端子にも出力される他、図柄変動や大当り（特別遊技ともいう）等の管理用の信号が外部接続端子７８に出力されてホールメインコンピュータ８７に送られる。主制御装置８０と払出制御装置８１とは双方向通信が可能である。
【００３６】
払出制御装置８１は、主制御装置８０から送られてくるコマンドに応じて払出モータ２０を稼働させて賞球を払い出させる。本参考例においては、賞球として払い出される遊技球を計数するための払出スイッチ２１の検出信号は払出制御装置８１に入力され、払出制御装置８１で賞球の計数が行われる構成を用いる。この他にも主制御装置８０と払出制御装置８１に払出スイッチ２１の検出信号が入力され、主制御装置８０と払出制御装置８１の双方で賞球の計数を行う構成を用いることも考えられる。
【００３７】
なお、払出制御装置８１はガラス枠開放スイッチ３５、内枠開放スイッチ３６、満杯スイッチ２２、球切れスイッチ２３からの信号が入力され、満杯スイッチ２２により下皿６３が満タンであることを示す信号が入力された場合及び球切れスイッチ２３により球タンクに遊技球が少ないあるいは無いことを示す信号が入力されると払出モータ２０を停止させ、賞球の払出動作を停止させる。なお、満杯スイッチ２２、球切れスイッチ２３も、その状態が解消されるまで信号を出力し続ける構成になっており、払出制御装置８１は、その信号が出力されなくなることに起因して払出モータ２０の駆動を再開させる。
【００３８】
また、払出制御装置８１はＣＲユニット端子板２４を介してプリペイドカードユニットと交信することで払出モータ２０を作動させ、貸し球を排出する。払出された貸し球は払出スイッチ２１に検出され、検出信号は払出制御装置８１に入力される。なお、ＣＲユニット端子板２４は精算表示基板２５とも双方向通信可能に接続されており、精算表示基板２５には、遊技球の貸出しを要求するための球貸ボタン、精算を要求するための返却ボタン、残高表示器が接続されている。
【００３９】
また、払出制御装置８１は、外部接続端子７８を介して賞球に関する情報、枠（内枠、前枠）の開閉状態を示す情報などをホールコンピュータに送信するほか、発射制御装置８４に対して発射停止信号を送信する。なお本参考例では遊技球を払い出す構成であるが、入賞等に応じて発生した遊技球を払い出さずに記憶する封入式の構成にしても良い。
【００４０】
発射制御装置８４は発射モータ３０を制御して、遊技球を遊技領域３に遊技球を発射させる。なお、発射制御装置８４には払出制御装置８１以外に発射ハンドルからの回動量信号、タッチスイッチ２８からのタッチ信号、発射停止スイッチ２９から発射停止信号が入力される。回動量信号は、遊技者が発射ハンドルを操作することで出力され、タッチ信号は遊技者が発射ハンドルを触ることで出力され、発射停止スイッチ信号は、遊技者が発射停止スイッチ２９を押すことで出力される。なお、タッチ信号が発射制御装置８４に入力されていなければ、遊技球は発射できないほか、発射停止スイッチ信号が入力されているときには、遊技者が発射ハンドルを触っていても遊技球は発射できないようになっている。
【００４１】
サブ統合制御装置８３はサブ制御装置に該当し、主制御装置８０から送信されてくるデータ及びコマンドを、演出中継端子板６５を介して受信し、それらを演出表示制御用、音制御用及びランプ制御用のデータに振り分けて、演出表示制御用のコマンド等は演出図柄制御装置８２に送信し、音制御用及びランプ制御用は自身に含まれている各制御部位（音声制御装置及びランプ制御装置としての機能部）に分配する。そして、音声制御装置としての機能部は、音声制御用のデータに基づいて音ＬＳＩを作動させることによってスピーカからの音声出力を制御し、ランプ制御装置としての機能部はランプ制御用のデータに基づいてランプドライバを作動させることによって各種ＬＥＤ、ランプ２６を制御する。また、サブ統合制御装置８３には、演出ボタン６７、およびジョグダイヤル６８が接続されており、遊技者がこれらを操作した際には、その信号がサブ統合制御装置８３に入力される。
【００４２】
サブ統合制御装置８３と演出図柄制御装置８２とは双方向通信が可能である。演出図柄制御装置８２は、サブ統合制御装置８３から受信したデータ及びコマンド（共に主制御装置８０から送信されてきたものとサブ統合制御装置８３が生成したものとがある）に基づいて演出図柄表示装置６を制御して、演出図柄等の演出画像を演出図柄表示装置６の画面６ａに表示させる。
【００４３】
メインルーチンを図３に従って説明する。メインルーチンは、約２ｍｓ毎のハード割り込みにより繰り返し実行される。本実施形態では、当該メインルーチンが１回起動されるごとにＳ１０〜Ｓ６５までの１回だけ実行される処理を「本処理」と称し、この本処理を実行して余った時間内に時間の許す限り繰り返し実行されるＳ７０の処理を「残余処理」と称する。「本処理」は上記割り込みにより定期的に実行されることになる。
【００４４】
マイコンによるハード割り込みが実行されると、まず正常割り込みであるか否かが判断される（Ｓ１０）。この判断処理は、メモリとしてのＲＡＭの所定領域の値が所定値であるか否かを判断することにより行われ、マイコンにより実行される処理が本処理に移行したとき、通常の処理を実行して良いのか否かを判断するためのものである。正常割り込みでない場合としては、電源投入時又はノイズ等によるマイコンの暴走等が考えられるが、マイコンの暴走は近年の技術の向上によりほとんど無いものと考えて良いので、たいていが電源投入時である。電源投入時にはＲＡＭの所定領域の値が所定値と異なる値となっている。
【００４５】
正常割り込みでないと判断されると（Ｓ１０：ｎｏ）、初期設定(例えば前記メモリの所定領域への所定値を書き込み、特別図柄および普通図柄を初期図柄とする等のメモリの作業領域への各初期値の書き込み等）が為され（Ｓ１５）、残余処理（Ｓ７０）に移行する。
【００４６】
正常割り込みとの肯定判断がなされると（Ｓ１０：ｙｅｓ）、初期値乱数更新処理が実行される（Ｓ２０）。この処理は、初期値乱数の値についてこの処理を実行する毎に＋１するインクリメント処理であり、この処理実行前の初期値乱数の値に＋１するが、この処理を実行する前の乱数値が最大値である「１９９」のときには次回の処理で初めの値である「０」に戻り、「０」〜「２９９」までの３００個の整数を繰り返し昇順に作成する。
【００４７】
Ｓ２０に続く大当り決定用乱数更新処理（Ｓ２５）については、初期値乱数更新処理と同様に処理を実行する毎に＋１するインクリメント処理であり、最大値である「２９９」のときは次回の処理で初めの値である「０」に戻り、「０」〜「２９９」までの３００個の整数を繰り返し昇順に作成する。なお、大当り決定用乱数の最初の値は、初期値乱数設定処理で設定された値となる。この値が１５０であったとすると、大当り決定用乱数は「１５０」「１５１」「１５２」・・・「２９９」「０」「１」・・・と更新されていく。
【００４８】
なお、大当り決定用乱数が一巡（３００回、更新されること）すると、そのときの前記初期値乱数の値を大当り決定用乱数の初期値にする。大当り決定用乱数は、その初期値から＋１されていく。そして、再び大当り決定用乱数が一巡すると、その時の初期値乱数の値を大当り決定用乱数の初期値にする動作を行なう。つまり、この一連の動作を繰り返し続けることになる。前述の例では大当り決定用乱数が「１４９」になると一巡であるから、「１４９」の次は前記初期値乱数の値となる。仮に初期値乱数の値が「８７」だったとすると、「１４９」「８７」「８８」・・・「２９９」「０」「１」・・・「８６」と変化していき、「８６」の次は新たな前記初期値乱数の値となる。
【００４９】
大当り図柄決定用乱数更新処理（Ｓ３０）は「０」〜「９」の１０個の整数を繰り返し作成するカウンタとして構成され、本処理毎に＋１され最大値を超えると初めの値である「０」に戻る。Ｓ３０に続く当り決定用乱数更新処理（Ｓ３５）は、「０」〜「９」の１０個の整数を繰り返し作成するカウンタとして構成され、本処理毎で＋１され最大値を超えると初めの値である「０」に戻る。なお、当選することとなる値は、常に「７」である。この当り決定用乱数は普通図柄の抽選に使用し、初期値乱数、大当り決定用乱数、リーチ判定用乱数は特別図柄の抽選に使用し、大当り図柄決定用乱数、変動パターン決定用乱数は、普通図柄の抽選・特別図柄の抽選の双方に用いる。
【００５０】
リーチ判定用乱数更新処理（Ｓ４０）は、「０」〜「２２８」の２２９個の整数を繰り返し作成するカウンタとして構成され、本処理毎で＋１され最大値を超えると初めの値である「０」に戻る。変動パターン決定用乱数更新処理（Ｓ４５）は、「０」〜「１１９」の１２０個の整数を繰り返し作成するカウンタとして構成され、本処理毎で＋１され最大値を超えると初めの値である「０」に戻る。続く入賞確認処理（Ｓ５０）では、第１始動口１１、第２始動口１２の入賞の確認、ゲート１７の遊技球の通過の確認、及び本参考例のパチンコ機に設けられ主制御基板８０に接続された各スイッチ類の入力処理が実行される。
【００５１】
本参考例では、遊技球が第１始動口１１、第２始動口１２に入賞すると大当り決定用乱数、大当り図柄決定用乱数、変動パターン決定用乱数、リーチ判定用乱数など複数の乱数を取得されるのだが、保留記憶できる数を第１始動口１１と第２始動口１２を合わせて４個までとしており、保留記憶が満タンである４個のときに遊技球が対応する始動口に入賞しても賞球が払出されるだけで、前記複数の乱数は保留記憶されない構成になっている。
【００５２】
続いて、大当りか否かを判定する条件成立判定手段としての当否判定処理（Ｓ５５）を行う。当否判定処理（Ｓ５５）では、特別図柄および普通図柄のそれぞれに対応した当否判定や、当否判定に付随する図柄変動や特別遊技処理などの処理を行なう。この当否判定処理（Ｓ５５）に続く不正監視処理（Ｓ６０）は、普通入賞口（第１左入賞口３１、第２左入賞口３２、第３左入賞口３３、第４左入賞口３４）に対する不正が行われていないか監視する処理であり、所定時間内における入賞口への遊技球の入球が予め決定された規定数よりも多いか否かを判断して、多かった場合には不正と判断され、その旨を報知する処理である。つまり、不正判断手段は、主制御基板８０に設けている。
【００５３】
続く画像出力処理等の各出力処理（Ｓ６５）では、遊技の進行に応じて主制御基板８０は演出図柄制御装置８２、払出制御基板８１、発射制御装置８４、サブ統合制御装置８３、大入賞口ソレノイド１４ｂ等に対して各々出力処理を実行する。即ち、入賞確認処理（Ｓ５０）により遊技盤１上の各入賞口に遊技球の入賞があることが検知されたときには賞球としての遊技球を払い出すべく払出制御基板８１に賞球信号を送信する処理を、遊技状態に対応したサウンドデータをサブ統合制御装置８３に出力する処理を、パチンコ機に異常があるときにはエラー中であることを報知すべく演出図柄制御装置８２にエラー信号を出力する処理を各々実行する。
【００５４】
本処理に続く前述の残余処理は、初期値乱数更新処理（Ｓ７０）から構成されるが、前述したＳ２０と全く同じ処理である。この処理は無限ループを形成し、次の割り込みが実行されるまで時間の許される限り繰り返し実行される。前述したＳ１０〜Ｓ６５までの本処理を実行するのに必要とされる時間は、大当り処理を実行するか否か、特別図柄の表示態様の相違等により割り込み毎に異なる。この結果、残余処理を実行する回数も割り込み毎に異なり、割り込み処理が１回実行されることにより初期値乱数に更新される値も一律ではなくなる。これにより、初期値乱数が大当り決定用乱数と同期する可能性は極めて小さくなる。大当り決定用乱数が一巡したときの、初期値乱数の値（０〜１９９の２００通り）が、同程度に発生するとすれば、同期する確率はわずか１／２００である。また、前述した当り決定用乱数更新処理（Ｓ３５）も残余処理内において実行するよう構成しても良い。
【００５５】
始動入賞確認処理（Ｓ５０）の概要を図４に示す。主制御装置８０は、まず第１始動口スイッチ１１ａ、第２始動口スイッチ１２ａの検出信号に基づいて、第１始動口１１、第２始動口１２に遊技球が入球したか否かを判断する（Ｓ１００）。肯定判断なら（Ｓ１００：ｙｅｓ）、大当り決定用乱数、大当り図柄決定用乱数、リーチ判定用乱数、変動パターン決定用乱数等を該当の各カウンタから読み込んで、特別図柄の保留記憶が満杯（本参考例では４個）か否かを判断する（Ｓ１０５）。
【００５６】
保留記憶が満杯でなければ（Ｓ１０５：ｎｏ）、上記の各乱数を保留記憶として記憶し、特別図柄保留数表示装置１８の点灯態様を１増加させる（Ｓ１１０）。なお、特別図柄保留数表示装置１８は２個のＬＥＤの点灯または消灯させることにより２進法により保留記憶されている数を表す（ただし保留記憶数が４個の場合は２個のＬＥＤを共に点滅させる）もので、「点灯態様を１増加させる」とは２進法で示される数を１つ増やすという意味である。また、Ｓ１１０では保留個数が更新されたことを示すコマンド（保留個数コマンド）をサブ統合制御装置８３に送信する。こうして当処理を終了（リターン）する。第１始動口１１、第２始動口１２に遊技球が入球していない場合（Ｓ１００：ｎｏ）、又は保留記憶が満杯の場合（Ｓ１０５：ｙｅｓ）、はそのまま当処理を終了する。
【００５７】
Ｓ５５の当否判定処理の内、特別図柄に係る当否判定などを行なう処理は、図５〜８に示すようなもので、主制御装置８０は、特別電動役物が作動中か否かを大当りフラグに基づいて判断する（Ｓ２００）。Ｓ２００の判定が否定判断で、特別図柄が変動中でなく（Ｓ２０５：ｎｏ）、確定図柄の表示中でもなければ（Ｓ２１０：ｎｏ）、図６のＳ２５０に移行し、特別図柄の保留記憶（Ｓ１１０による保留記憶）があるか否かを判断する。この保留記憶があれば（Ｓ２５０：ｙｅｓ）、保留記憶数をデクリメントし（Ｓ２５５）、Ｓ２７０に進む。Ｓ２７０では保留記憶の中で最も古いものを読み込んで（その保留記憶は消去する）、確変フラグがセットされている（すなわち１）か否かを判定する。ここで確変フラグが１とは、現在のパチンコ機が高確率遊技状態（確変状態とも言う）であることを意味する。肯定判断であれば（Ｓ２７０：ｙｅｓ）、読み込んだ大当り決定用乱数を確変テーブルに記録されている当り値と照合する（Ｓ２７５）。ここで当り値の数は１０で、７〜１６である。つまり当り確率は１／３０となる。Ｓ２７０が否定判断された場合（Ｓ２７０：ｎｏ）は、Ｓ２８０にて当り決定用乱数を通常テーブルに記録されている当り値と照合する。ここで当り値は７のみである。つまり当り確率は１／３００となる。
【００５８】
Ｓ２７５またはＳ２８０の判定が行なわれると、Ｓ２８５にて大当りか否かを判定（当否判定）し、肯定判定であれば（Ｓ２８５：ｙｅｓ）、大当り図柄決定用乱数によって特図の大当り図柄（単に当り図柄ともいう）を決定する（Ｓ２９０）。特図の大当り図柄について図１４に示す。パチンコ機では図１４に示すように大当り図柄として、１６ラウンド（Ｒと表記）特定時短有図柄、１０ラウンド特定時短有図柄、２ラウンド特定時短有図柄、１０ラウンド通常時短有図柄の４種類が存在する。１６ラウンド特定時短有図柄が特別図柄表示装置９に確定表示された場合には、これを起因として発生した大当り遊技において大入賞口１４が１６回開閉され、該大当り遊技の終了後に時短状態および確変状態が発生する。本参考例のパチンコ機では、時短状態において第２始動口１２の翼片の開放時間の延長（開放延長）も行なわれる。これにより、時短状態においては持玉が殆ど減らない状態となり、遊技者は有利に次の当りを狙うことができる。こうして発生した時短状態および確変状態は、特図が１００００回変動するまで継続される。なお、特図が１００００回転変動して当らないことは、たとえ当り確率が１／３００であっても確率上、ほぼありえないので、１００００回の時短状態とは、実質的に次の当りが発生することが保障されたことになる。１０ラウンド特定時短有図柄が特別図柄表示装置９に確定表示された場合には、これを起因として発生した大当り遊技において大入賞口１４が１０回開閉され、該大当り遊技の終了後に時短状態および確変状態が発生し、これらは特図が１００００回変動するまで継続される。２ラウンド特定時短有図柄が特別図柄表示装置９に確定表示された場合には、これを起因として発生した大当り遊技において大入賞口１４が２回開閉され、該大当り遊技の終了後に時短状態および確変状態が発生し、これらは特図が１００００回変動するまで継続される。１０ラウンド通常時短有図柄が特別図柄表示装置９に確定表示された場合には、これを起因として発生した大当り遊技において大入賞口１４が１０回開閉され、該大当り遊技の終了後に時短状態が発生し、特図が１００回変動するまで継続される。前記時短状態や確変状態の途中で特図が当選した場合には、該当選により決定された特図に基づいて、改めて時短回数および確変回数の上限が設定される。
【００５９】
図５に戻る。こうして大当り図柄が決定すると、変動パターン決定用乱数等によって変動パターンを決定し（Ｓ２９５）、大当り設定処理を行う（Ｓ３００）。なお、Ｓ２８５において外れと判定された場合は、変動パターン決定用乱数等によって変動パターンを決定し（Ｓ３０５）、ハズレ設定処理（Ｓ３１０）を行なう。ハズレ設定処理では、確変回数のデクリメント（確変フラグが１のとき）が行なわれる。Ｓ３００、又はＳ３１０に続いては、上述の抽選結果を示すデータ、具体的には通常大当り、確変大当り、リーチ外れ（外れであるがリーチ表示有り）、リーチ表示無しの外れのいずれかを示すデータと変動時間を指定する変動パターンのデータが含まれる変動開始コマンド（表示制御コマンド）をサブ統合制御装置８３に出力する（Ｓ３１５）。なお、Ｓ３１５の処理により演出図柄表示装置６では演出図柄を設定し、その変動表示を開始するが、ほぼ同時に特別図柄の変動も主制御装置８０によって開始される。また、特別図柄が変動する際には必ず演出図柄も変動され、且つ演出図柄が変動されるときには特別図柄も変動されるので、これらの図柄が変動することを単に「図柄が変動する」とも言う。
【００６０】
図５において特別図柄が変動中（Ｓ２０５：ｙｅｓ）と判定された場合には、図７のＳ３５０に移行し、図柄変動時間（Ｓ３００、又はＳ３０５の変動パターンに基づく）が経過したか否かを判定する。否定判断（Ｓ３５０：ｎｏ）であれば特別遊技処理を行い、肯定判断であれば確定図柄表示処理（Ｓ３５５）を行なってから特別遊技処理を行う。
【００６１】
図５において確定図柄を表示中と判定された場合（Ｓ２１０：ｙｅｓ）には、図８のＳ４００に移行し、確定図柄の表示時間が終了したか否かを判定する。否定判断（Ｓ４００：ｎｏ）であれば特別遊技処理を行い、肯定判断であれば確定図柄表示終了処理（Ｓ４０５）を行なってから大当りになる組合せや否かを判定する（Ｓ４１０）。肯定判断なら確変フラグが１か否かを判定し（Ｓ４１５）、肯定判断なら（Ｓ４１５：ｙｅｓ）確変フラグを０にし（Ｓ４２０）、Ｓ４２５に移行する。否定判断なら（Ｓ４１５：ｎｏ）そのまま、Ｓ４２５に移行する。
【００６２】
Ｓ４２５では、時短フラグが１か否かを判定する。時短フラグが１であれば（Ｓ４２５：ｙｅｓ）、Ｓ４３０にて時短フラグを０にし、Ｓ４３５に移行する。時短フラグが１でなければ（Ｓ４２５：ｎｏ）、そのままＳ４３５に移行する。
【００６３】
Ｓ４３５では、条件装置作動開始処理により、大当りフラグをセットする。そしてＳ４４０にて役物連続作動装置を作動させ、Ｓ４４５にて大当り開始演出処理を行なう。大当り開始演出処理では、大当り遊技を開始するコマンド及び大当り遊技に係る情報（大当りのオープニング時間、開放パターン、大当りのエンディング時間、ラウンド数等）をサブ統合制御装置８３に送信する。大当り開始演出処理が終了すると、特別遊技処理を行なう。
【００６４】
Ｓ４１０で、確定表示させた特別図柄が大当りになる表示でないと判定された場合は、Ｓ４５０に移行して確変フラグが１か否かを判定する。肯定判断（Ｓ４５０：ｙｅｓ）であれば、確変回数が０か否かを判定する（Ｓ４５５）。確変回数が０であれば（Ｓ４５５：ｙｅｓ）、Ｓ４６０にて確変フラグを０にし、Ｓ４６５に進む。確変フラグが１でないとき（Ｓ４５０：ｎｏ）、または確変回数が０ではないとき（Ｓ４５５：ｎｏ）は、そのままＳ４６５に移行する。Ｓ４６５では、時短フラグが１か否かを判定し、１であれば（Ｓ４６５：ｙｅｓ）、時短回数が０か否かを判定する（Ｓ４７０）。時短回数が０であれば（Ｓ４７０：ｙｅｓ）、Ｓ４７５にて時短フラグを０にしてＳ４８０に進む。時短回数が０ではないとき（Ｓ４７０：ｎｏ）又は時短フラグが１でないとき（Ｓ４６５：ｎｏ）はそのままＳ４８０に移行する。Ｓ４８０では、現在の遊技状態が確変中であるか否か、時短中であるか否か等の状態を示す状態指定コマンドをサブ統合制御装置８３に送信し、特別遊技処理を実行する。図５のＳ２００で特別電動役物が作動中と判定された場合も特別遊技処理を実行する。
【００６５】
図９〜１１に示す特別遊技処理では、主制御装置８０は、役物連続作動装置が作動中か否かを大当りフラグに基づいて判断する（Ｓ５００）。役物連続作動装置が作動中なら（Ｓ５００：ｙｅｓ）、大入賞口１４が開放中か否かを判断する（Ｓ５０５）。大入賞口１４の開放中ではない場合は（Ｓ５０５：ｎｏ）、ラウンド間のインターバル中により大入賞口１４が閉鎖しているのか判断する（Ｓ５１０）。インターバル中でもない場合は（Ｓ５１０：ｎｏ）、大当り終了演出中であるか判断する（Ｓ５１５）。これも否定判断の場合は（Ｓ５１５：ｎｏ）、大当り遊技を開始する演出に要する時間が経過したか否かを判定する（Ｓ５２０）。大当り開始演出時間が経過した場合は（Ｓ５２０：ｙｅｓ）、大入賞口開放処理（Ｓ５２５）を行なって当処理を終了（リターン）する。大当り開始演出時間が経過していない場合は（Ｓ５２０：ｎｏ）、そのまま当処理を終了する。
【００６６】
Ｓ５０５で大入賞口１４が開放中であると判定された場合は、図１０のＳ５５０に進み、大入賞口１４に１０個入賞したか否かを判定する。なお、本参考例では１０個だが、９個、８個でもよく、特に限定するものではない。大入賞口１４に１０個入賞した場合（Ｓ５５０：ｙｅｓ）にはＳ５６０に進み、大入賞口閉鎖処理を行う。そして大当りインターバル処理（Ｓ５６５）を行なって、特別遊技処理を終了する。大入賞口１４に１０個入賞していない場合（Ｓ５５０：ｎｏ）にはＳ５５５に進み、大入賞口１４の開放時間が終了したか否かを判定する。本参考例では、各ラウンドの最大開放時間は２９秒に設定している。無論、この秒数に限定するものではない。開放時間が終了した場合（Ｓ５５５：ｙｅｓ）には、Ｓ５６０に合流し、終了していない場合（Ｓ５５５：ｎｏ）は特別遊技処理を終了する。
【００６７】
図９のＳ５１０でインターバル中であると判定された場合は、図１０のＳ５７０に進み、大当りインターバル時間が経過したか否かを判定する。インターバル時間が経過している場合（Ｓ５７０：ｙｅｓ）は、直前に大入賞口１４が開いていたのが最終ラウンドか否かを判定する（Ｓ５７５）。最終ラウンドであれば（Ｓ５７５：ｙｅｓ）、大当り終了演出処理（Ｓ５８０）を行い、特別遊技処理を終了する。最終ラウンドでなければ（Ｓ５７５：ｎｏ）、再び大入賞口１４を開放する処理（Ｓ５８５）を行い、特別遊技処理を終了する。なお、大当りインターバル時間が経過していないと判定された場合（Ｓ５７０：ｎｏ）には、そのまま特別遊技処理を終了する。なお、大入賞口１４を開放・閉鎖する処理においては、サブ統合制御装置８３にも信号を送信する。サブ統合制御装置８３は、その信号に基づいて、現在のラウンドを把握し、該ラウンドに応じた演出を行なう。
【００６８】
図９のＳ５１５で大当りの終了演出中であると判定された場合は、図１１のＳ６００に進み、大当り終了演出時間が経過したか否かを判定する。大当り終了演出時間が経過した場合には（Ｓ６００：ｙｅｓ）、役物連続作動装置の作動を停止し（Ｓ６０５）、条件装置の作動を停止する（Ｓ６１０）。そしてＳ６１５にて大当り終了後に確変状態に移行するか否かを判定し、当り図柄が１６ラウンド特定時短有図柄、１０ラウンド特定時短有図柄、２ラウンド特定時短有図柄（これらを確変図柄と呼ぶことにする）のいずれかであれば肯定判断（Ｓ６１５：ｙｅｓ）され、確変回数設定処理（Ｓ６２０）を行なう。ここでは確変回数として１００００回が設定される（図１４参照）。そして確変フラグに１をセット（Ｓ６２５）し、Ｓ６３０に移行する。当り図柄が１０ラウンド通常短有図柄であればＳ６１５は否定判断され、そのままＳ６３０に移行する。Ｓ６３０では大当り終了後に時短状態に移行するか否かを判定する。なお、本参考例のパチンコ機では当り図柄に依らず必ず時短は発生するので、Ｓ６３５に移行し、時短回数設定処理を行なう。当り図柄が１６ラウンド特定時短有図柄、１０ラウンド特定時短有図柄、２ラウンド特定時短有図柄のいずれかであれば時短回数は１００００回であり、当り図柄が１０ラウンド通常時短有図柄であれば時短回数は１００回である。そして時短フラグに１をセット（Ｓ６４０）し、Ｓ６４５に移行する。本参考例のパチンコ機ではありえないがＳ６３０が否定判断された場合は、そのままＳ６４５に移行する。そして、大当り終了コマンドをサブ統合制御装置８３に送信して（Ｓ６４５）、状態指定コマンド送信処理を実行（Ｓ６５０）し、特別遊技処理を終了する。状態指定コマンド送信処理（Ｓ６５０）の内容は、Ｓ４８０の処理と同様である。Ｓ６００にて大当り終了演出時間が経過していないと判断された場合には、そのまま特別遊技処理を終了する。図９で役物連続作動装置が作動していないと判定された場合（Ｓ５００：ｎｏ）には特別遊技処理を終了（リターン）する。
【００６９】
Ｓ２９５の変動パターン決定処理、すなわち特図が当りの場合の変動パターンを決定する処理の概要を、図１２に示す。当処理が起動されると、Ｓ７００にて時短フラグが１、すなわち時短状態か否かを判定する。否定判断（Ｓ７００：ｎｏ）ならばラウンドカウンタをクリアする（Ｓ７１０）。ラウンドカウンタとは、時短中において発生された大当り遊技（ただし非時短状態において発生された大当り遊技（いわゆる初当り）も含む）のラウンド数を累積加算していくためのカウンタである。例えば、初当りが２ラウンド特定時短有図柄により発生し、続いて１０ラウンド通常時短有図柄により大当りが発生した場合、この時点でのラウンドカウンタの値は２＋１０＝１２となる。なお、ここでは初当りが確変図柄（２ラウンド特定時短有図柄）と仮定したので、１０ラウンド通常時短有図柄は時短状態において表示されたものとした。
【００７０】
ラウンドカウンタをクリアすると、Ｓ７２０にて変動テーブルフラグを２とする。ここで変動テーブルフラグとは、時短中に用いる特図の変動パターン選択テーブルとして、どれを用いるかを示すもので、２または３の値をとる。変動テーブルフラグが２の場合は、変動パターン選択テーブル２を用い、変動テーブルフラグが３の場合は、変動パターン選択テーブル３を用いる（いずれも特図が当りとなる場合は例外的に変動パターン選択テーブル１を用いる）。
【００７１】
変動パターン選択テーブルについて、図１５に示す。変動パターン選択テーブル１は図１５（ａ）に示すようなもので、主に非時短状態において特図の変動パターンを設定する場合に用いられる。前述のように時短状態であっても特図が当る場合には例外的に用いられる。変動パターン選択テーブル１で選択される変動パターンは変動パターン１〜５の５種類あり、変動時間がそれぞれ５秒、１０秒、２０秒、３０秒、９０秒となっている。変動パターン２〜５の選択割合は、それぞれ１２／２０、５／２０、２／２０、１／２０となっており、この結果、変動パターン選択テーブル１を用いて設定される変動時間の平均値は１８．５秒となる。なお、変動パターン１は特図の保留が４個になった場合に選択される変動パターンであり、選択率は不定であり、前記計算からも除外した。
【００７２】
変動パターン選択テーブル２は図１５（ｂ）に示すようなもので、時短状態において変動パターンフラグが２の場合に特図の変動パターンを設定する際に用いられる。変動パターン選択テーブル２で選択される変動パターンは変動パターン１〜３の３種類あり、変動時間がそれぞれ１秒、３秒、５秒となっている。変動パターン１〜３の選択割合は、それぞれ３／６、２／６、１／６となっており、この結果、変動パターン選択テーブル２を用いて設定される変動時間の平均値は約２．３３秒となる。
【００７３】
変動パターン選択テーブル３は図１５（ｃ）に示すようなもので、時短状態において変動パターンフラグが３の場合に特図の変動パターンを設定する際に用いられる。変動パターン選択テーブル３で選択される変動パターンは変動パターン１〜３の３種類あり、変動時間がそれぞれ５秒、１０秒、１５秒となっている。変動パターン１〜３の選択割合は、それぞれ３／６、２／６、１／６となっており、この結果、変動パターン選択テーブル３を用いて設定される変動時間の平均値は約８．３３秒となる。つまり平均変動時間は、変動パターン選択テーブル１を用いて設定した場合が最も長く、続いて変動パターン選択テーブル３、変動パターン選択テーブル２の順となっている。
【００７４】
図１２に戻る。Ｓ７２０で変動テーブルフラグに２がセットされるとＳ７３０に移行する。Ｓ７００が肯定判断すなわち現在が時短中と判断された場合は、そのままＳ７３０に移行する。Ｓ７３０では、変動テーブルフラグが２か否かを判定し、肯定判断なら、Ｓ２９０にて決定された当り図柄を起因として発生される大当りのラウンド数をラウンドカウンタに加算する（Ｓ７４０）。続くＳ７５０にて、ラウンドカウンタの値がしきい値を超えていないか否かを判定する。ここでしきい値は５０とする。しきい値はこの値に限るものではなく、パチンコ機の仕様などに応じて変更されうる。また、ここではしきい値を超えているか否かを判定しているが、パチンコ機の仕様などに応じ、しきい値以上であるか否かを判定しても勿論よい（以下のしきい値（ラウンドカウンタ以外のしきい値も含む）との比較においても同様）。Ｓ７５０が肯定判断された場合は、変動テーブルフラグを３とし（Ｓ７７０）、Ｓ７８０に移行する。Ｓ７３０が否定判断された場合、またはＳ７５０が否定判断された場合はＳ７８０に直行する。Ｓ７８０では変動パターン選択テーブル１を用いて変動パターンを決定し、当処理を終了（リターン）する。
【００７５】
Ｓ３０５の変動パターン決定処理、すなわち特図が外れの場合の変動パターンを決定する処理の概要を、図１３に示す。当処理が起動されると、Ｓ８００にて時短フラグが１、すなわち時短状態か否かを判定する。否定判断（Ｓ８００：ｎｏ）ならばＳ８１０に移行し、変動パターン選択テーブル１を用いて変動パターンを決定し、当処理を終了（リターン）する。Ｓ８００が肯定判断された場合はＳ８２０に進み、変動テーブルフラグが２か否かを判定し、肯定判断なら、変動パターン選択テーブル２を用いて変動パターンを決定し、当処理を終了する。否定判断（Ｓ８２０：ｎｏ）なら、変動パターン選択テーブル３を用いて変動パターンを決定し、当処理を終了する。
【００７６】
図１２、図１３の処理に基づいて変動パターンを決定することにより、連荘中のラウンド数の累積加算値がしきい値（本参考例では５０）を超えると、時短中（当参考例では開放延長状態も併せて発生）の変動パターンの決定に用いる変動パターン選択テーブルとして平均変動時間が長い変動パターン選択テーブル３が選ばれる。この結果、単位時間当りの当り発生回数が低下することが期待でき、射幸性が過度に高まるのを抑えることができる。また、これにより大当り遊技による出玉や大当り遊技の回数が減少するわけではないので、出玉感を損なうことが無い。
【００７７】
ここで本参考例の構成・状態と、本発明の構成要件との対応関係を示す。Ｓ３５０〜Ｓ３５５の処理が本発明の「図柄制御手段」に相当し、Ｓ２７０〜Ｓ２８５の処理が本発明の「当否判定手段」に相当し、特別遊技処理が本発明の「特別遊技実行手段」に相当し、Ｓ６３０〜Ｓ６４０の処理が本発明の「特典付与手段」に相当し、Ｓ４５の処理が本発明の「変動パターン決定用乱数発生手段」に相当し、変動パターン選択テーブル２が本発明の「第１時短用変動パターン選択テーブル」に相当し、変動パターン選択テーブル３が本発明の「第２時短用変動パターン選択テーブル」に相当し、Ｓ７００〜Ｓ７４０の処理が本発明の「価値担体数推定手段」に相当し、Ｓ７５０〜Ｓ７７０の処理を受けて、Ｓ８３０またはＳ８４０の処理を行なう部分が本発明の「変動パターン決定手段」に相当する。
［実施例１］
【００７８】
本発明の第１実施例について図１６を用いて説明する。なお、本実施例は参考例と共通点が多いため、異なる点のみを重点的に説明する。
図１６は第１実施例の主制御装置８０がＳ２９５において実行する変動パターン決定処理、すなわち特図が当りの場合の変動パターンを決定する処理の概要である。当処理が起動されると、Ｓ７００にて時短フラグが１か否かを判定する。否定判断（Ｓ７００：ｎｏ）ならば残時短カウンタをクリアする（Ｓ７１５）。残時短カウンタとは、時短中において大当り遊技が発生した場合に、残りの時短回数（大当り終了後に遊技者に付与される時短回数の最大値（図１５参照）から、当りが発生するのに要した特図の変動回数を差し引いた値。残時短回数と呼ぶことにする）を累積加算していくためのカウンタである。例えば、初当りが２ラウンド特定時短有図柄により発生し、その大当りが終了することにより発生した時短状態の５０回目で、１０ラウンド特定時短有図柄により大当りが発生し、その大当りが終了することにより発生した時短状態の３０回目で、次の当り（当り図柄は任意）が発生した場合、この時点での残時短カウンタの値は（１００００−５０）＋（１００００−３０）＝１９９２０となる。なお、当り図柄が１０ラウンド通常時短有図柄だった場合に発生した大当りの終了後の時短において当った場合の残時短回数は、１００と変動回数の差ではなく、１００００と変動回数の差とする。また、初当りの場合は、残時短回数は０とする。
【００７９】
残時短カウンタをクリアすると、Ｓ７２０にて変動テーブルフラグを２とし、Ｓ７３０に移行する。Ｓ７００が肯定判断すなわち現在が時短中と判断された場合は、そのままＳ７３０に移行する。Ｓ７３０では、変動テーブルフラグが２か否かを判定し、肯定判断なら、残時短回数を残時短カウンタに加算する（Ｓ７５５）。続くＳ７６５にて、残時短カウンタの値が上限値を超えていないか否かを判定する。ここで上限値は５００００とする。上限値はこの値に限るものではなく、パチンコ機の仕様などに応じて変更されうる。Ｓ７６５が肯定判断された場合は、変動テーブルフラグを３とし（Ｓ７７０）、Ｓ７８０に移行する。Ｓ７３０が否定判断された場合、またはＳ７６５が否定判断された場合はＳ７８０に直行する。Ｓ７８０では変動パターン選択テーブル１を用いて変動パターンを決定し、当処理を終了（リターン）する。
【００８０】
図１６の変動パターン決定処理を行なうことにより、連荘中の残時短回数の累積加算値が上限値（本実施例では５００００）を超えると、時短中の変動パターンの決定に用いる変動パターン選択テーブルとして平均変動時間が長いものが選ばれる。平均変動時間が長いものが選ばれる結果、単位時間当りの当り発生回数が低下することが期待でき、射幸性が過度に高まるのを抑えることができる。そして第１実施例と同様、大当り遊技による出玉や大当り遊技の回数が減少するわけではないので、出玉感を損なうことも無い。
【００８１】
第１実施例においては、Ｓ７００〜Ｓ７５５の処理が本発明の「価値担体数推定手段」に相当し、残時短カウンタが本発明の「残時短総数」に相当し、Ｓ７６５〜Ｓ７７０の処理を受けて、Ｓ８３０またはＳ８４０の処理を行なう部分が本発明の「変動パターン決定手段」に相当する。
［実施例２］
【００８２】
本発明の第２実施例について図１７を用いて説明する。なお、本実施例も実施例１と共通点が多いため、異なる点のみを重点的に説明する。
図１７は第１実施例の主制御装置８０がＳ２９５において実行する変動パターン決定処理、すなわち特図が当りの場合の変動パターンを決定する処理の概要である。当処理が起動されると、Ｓ７００にて時短フラグが１、すなわち時短状態か否かを判定する。否定判断（Ｓ７００：ｎｏ）ならばＳ７１０にてラウンドカウンタをクリアし、Ｓ７１５にて残時短カウンタをクリアし、Ｓ７２０にて変動テーブルフラグを２とし、Ｓ７３０に移行する。Ｓ７００が肯定判断すなわち現在が時短中と判断された場合は、そのままＳ７３０に移行する。
【００８３】
Ｓ７３０では、変動テーブルフラグが２か否かを判定し、肯定判断なら、Ｓ２９０にて決定された当り図柄を起因として発生される大当りのラウンド数をラウンドカウンタに加算する（Ｓ７４０）。続くＳ７５０にて、ラウンドカウンタの値がしきい値を超えていないか否かを判定する。ここでしきい値は第１実施例と同様、５０とする。しきい値はこの値に限るものではなく、パチンコ機の仕様などに応じて変更されうる。Ｓ７５０が肯定判断された場合は、変動テーブルフラグを３とし（Ｓ７７０）、Ｓ７８０に移行する。
【００８４】
Ｓ７５０が否定判断された場合は、残時短回数を残時短カウンタに加算する（Ｓ７５５）。続くＳ７６５にて、残時短カウンタの値が上限値を超えていないか否かを判定する。ここでの上限値はＳ７５０における値とは関係が無く、５００００とする。この上限値もこの値に限るものではなく、パチンコ機の仕様などに応じて変更されうる。Ｓ７６５が肯定判断された場合は、Ｓ７７０に移行する。Ｓ７３０が否定判断された場合、またはＳ７６５が否定判断された場合はＳ７８０に直行する。Ｓ７８０では変動パターン選択テーブル１を用いて変動パターンを決定し、当処理を終了（リターン）する。
【００８５】
つまり図１７の変動パターン決定処理は、図１２に示した変動パターン決定処理と、図１６に示した変動パターン決定処理を複合させたものとなっている。すなわち、連荘中のラウンド数の累積加算値がしきい値（本実施例では５０）を超えると、時短中の変動パターンとして平均変動時間が長いものが選ばれる。仮に連荘中のラウンド数の累積加算値がしきい値以下であっても、連荘中の残時短回数の累積加算値が上限値（本実施例では５００００）を超えると、時短中の変動パターンの決定に用いる変動パターン選択テーブルとして平均変動時間が長いものが選ばれる。この結果、たとえ発生した大当りが、ラウンド数の少ないものばかりであったとしても、それらが時短状態の初期に発生した場合（残時短カウンタの値が上限値を超えた場合）は、単位時間当りの当り発生回数が多くなることが予想されるので、これを抑えるべく、平均変動時間が長いものを選ぶことができる。
【００８６】
第２実施例においては、Ｓ７００〜Ｓ７４０、およびＳ７５５の処理が本発明の「賞球数推定手段」に相当し、Ｓ７５０、Ｓ７６５、Ｓ７７０の処理を受けて、Ｓ８３０またはＳ８４０の処理を行なう部分が本発明の「変動パターン決定手段」に相当する。
［他の実施例］
【００８７】
前記何れの実施例（参考例も含む。以下同様）も、時短中の変動パターン選択テーブルは２種類であったが３種類以上に増やしても良い。第１実施例に適用した場合を例示すると、しきい値を複数備え、ラウンドカウンタが第１のしきい値を超えた場合は、変動テーブルフラグの値を変えた上で、当りが発生するごとにラウンド数の加算を続行し（第１実施例では、変動テーブルフラグの値を２から３に変えると加算は停止した（Ｓ７３０等を参照））、更にラウンドカウンタと第２しきい値との比較を行なっていく。こうすると、平均変動時間を長くしたにも係わらず、大当り後の早い時点で再び当ってしまった場合に、更に平均変動時間を長くするといったことが可能となる。
【００８８】
前記何れの実施例の大当り遊技の各ラウンドも、大入賞口が最大２９秒開放し、出玉を望めるものであったが、参考例または第２実施例の態様において、出玉を得るのが難しいラウンド（例えば、最大開放時間が各０．３秒のラウンドのように、規定数の入賞が得られないラウンド。「賞球なしラウンド」と呼ぶことにする。本発明の「価値担体なし開閉動作」に相当）を含む大当りや賞球なしラウンドのみで構成された大当りがある遊技機においては、「賞球なしラウンド」を、Ｓ７４０におけるラウンドカウンタの加算対象から除外するとよい。こうすることにより、賞球数の増加に寄与するラウンドのみをカウントすることになるので、賞球数が許容値を上回るか否かの推定を、より適切に行うことができる。
【００８９】
前記何れの実施例も、時短中の変動パターンのみを、ラウンドカウンタや残時短カウンタに応じて、平均変動時間が長いものに変更するものであったが、通常状態の変動パターンも、ラウンドカウンタや残時短カウンタに応じて平均変動時間が長いものに変更するようにしてもよい。
【００９０】
第１実施例では、残時短回数として、時短の最大回数（前記実施例では１００００）から、当りに要した特図の変動回数を差し引いていたが（１０ラウンド通常時短有図柄を除く）、前記最大回数以外の値から差し引いても良い。例えば、確変中では殆ど発生しない程度の特図の回転数（例えば３００）から当りに要した特図の変動回数を差し引いてもよい。こうすると、しきい値もこれに併せて小さくすることができ（例えば前記例では１回の時短状態あたり９７００減らしているので、しきい値を１５００とすることが考えられる）、演算も容易になる。例えば、しきい値が５００００であれば、符号付２進数を用いる場合、３バイト以上を要するが、しきい値が１５００であれば２バイトで済む。
【００９１】
第２実施例では、ラウンドカウンタがそのしきい値を超えた場合には、残時短カウンタの値に関わらず変動テーブルフラグを３に変更していたが、逆にしてもよい。すなわち、まず残時短カウンタがそのしきい値よりも大きいか否かを判定し、肯定判断なら、ラウンドカウンタの値に関わらず変動テーブルフラグを３に変更するように構成しても良い。
【００９２】
また、前記何れの実施例も、大当り図柄は４種類であったが、種類の数はこれ以外の値であっても構わない。また、大当りの終了後には必ず確変状態となる機種に本発明を適用しても良い。こうした機種では確変状態や時短状態の上限値が数十回〜１００回程度とされるのが通常であるので、第１実施例を適用する場合には、しきい値は第１実施例のしきい値に比べて小さな値（例えば５００程度）となることが予想される。また、残時短カウンタに代えて（またはこれに加えて）残確変カウンタを用いることも考えられる。第１実施例と同様、時短中における残確変カウンタの値がしきい値（確変状態専用のものでも良いし、確変と時短が常に同時に発生・消滅する仕様であれば時短のしきい値と共用（或いは時短のしきい値を廃止）してもよい）を超えたら変動テーブルフラグを切り替えるようにすると良い。
【００９３】
また、前記何れの実施例も、パチンコ機は払出制御装置８１を備え、払出装置７３により遊技球を払い出すものであったが、このような実体のある遊技球を払い出さずに、賞球数に対応する数値データを遊技者に付与する遊技機に本発明を適用しても良い。
【００９４】
また、前記何れの実施例においても、大当り遊技の終了後に発生する時短状態において用いられる変動パターン選択テーブルの選択（正確には変動テーブルフラグの変更）を、当否判定処理のＳ２９５、つまり大当り遊技の開始の直前とも言えるタイミングで行なっていたが、これを大当り遊技の終了後に行なっても良い。具体的には、特別遊技処理の中の図１１に示した処理において、大当り終了演出の時間が経過したと判断（Ｓ６００：ｙｅｓ）された以降に変動パターン選択テーブルを選択することが考えられる。この場合、Ｓ３０５では、大当り遊技の終了後に選択変動パターン選択テーブルされた変動パターン選択テーブルに基づいて、変動パターンが決定される。なお、変動パターン選択テーブル２、３は何れもＳ２８５において当りでないと判定された場合の変動パターンの決定で用いられるものであったが、当りの場合の変動パターンもこれらの変動パターン選択テーブル（何れか一方のみでも良い）に入れ、Ｓ２９５においてもこれらの変動パターン選択テーブルが用いられるようにしてもよい。この場合、変動パターン選択テーブル１は廃止してもよいし、非時短状態でのみ使用するようにしてもよいし、乱数などを用いた抽選により使用するか否（変動パターン選択テーブル２または３を用いる）かを決定してもよい。
【００９５】
また、前記何れの実施例においても、Ｓ７００にて時短フラグが１ではないと判定された場合には、ラウンドカウンタや残時短カウンタをクリアしていた。すなわち、初当りの場合は、ラウンド数や残時短数（以下、ラウンド数で代表させる）の累積加算をやり直す構成となっていた。ただしこの構成では、時短状態の終了後、間もなく当り、更に該当りから連荘（第２連荘と呼ぶことにする。前記時短状態の終了により終わった連荘を第１連荘と呼ぶことにする）が発生した場合に、適切に価値担体数を推定できない可能性がある。すなわち、第１連荘のみ、或いは第２連荘のみでは、ラウンドカウンタはしきい値を超えないが、第１連荘と第２連荘の大当り遊技の各ラウンドカウンタを合計すると、ラウンドカウンタがしきい値を超える場合である。第１連荘の終了から第２連荘の発生まで、十分時間が経過していれば、単位時間当りの当り発生回数が少なくて済むが、第１連荘の終了から短時間で第２連荘が発生した場合は、単位時間当りの当り発生回数が過剰になる虞がある。そこで、連荘が終了してもラウンドカウンタをクリアせず、第１連荘の初当りから、所定時間が経過するまではラウンドカウンタをクリアしない構成とすることが考えられる。こうすると、第１連荘が終了した後に再び初当りが発生しても、第１連荘の初当りから前記所定時間の間であれば、ラウンドカウンタをクリアせずに、これらの累積加算を続行することになる。こうすると、第１連荘と第２連荘が短期間の間に続けて発生した場合にも、適切に価値担体数を推定し、単位時間当りの当り発生回数が過剰になるのを防ぐことができる。
【符号の説明】
【００９６】
１１：第１始動口
１２：第２始動口
１４：大入賞口
５０：パチンコ機
８０：主制御装置
８２：演出図柄制御装置
８３：サブ統合制御装置
【図１】
2014111013.tif 000003
【図２】
2014111013.tif 000004
【図３】
2014111013.tif 000005
【図４】
2014111013.tif 000006
【図５】
2014111013.tif 000007
【図６】
2014111013.tif 000008
【図７】
2014111013.tif 000009
【図８】
2014111013.tif 000010
【図９】
2014111013.tif 000011
【図１０】
2014111013.tif 000012
【図１１】
2014111013.tif 000013
【図１２】
2014111013.tif 000014
【図１３】
2014111013.tif 000015
【図１４】
2014111013.tif 000016
【図１５】
2014111013.tif 000017
【図１６】
2014111013.tif 000018
【図１７】
2014111013.tif 000019